(57)【要約】【課題】  参加希望者の登録地域を自動的に更新することを可能とする。【解決手段】  携帯端末１０は、現在位置を表す位置情報を取得して検索サーバ２０に送信し、また、メンバ検索条件を検索サーバ２０に送信し、検索サーバ２０は、携帯端末１０から受信した位置情報およびメンバ検索条件をメンバごとに記憶し、それらメンバ検索条件および位置情報に基づいてメンバ検索を行い、携帯端末１０にメンバ検索結果を送信する。【選択図】    図１
2007028404.tif 000002
【特許請求の範囲】
【請求項１】
メンバが使用する携帯端末と、検索処理装置とを備えたメンバ検索システムであって、
前記携帯端末は、
現在位置を表す位置情報を取得する位置情報取得手段と、
前記取得された位置情報を前記検索処理装置に通信ネットワーク経由で送信する位置情報送信手段と、
メンバ検索条件を入力する入力手段と、
前記入力されたメンバ検索条件を前記検索処理装置に通信ネットワーク経由で送信するメンバ検索条件送信手段と、
通信ネットワーク経由で前記検索処理装置からメンバ検索結果を受信するメンバ検索結果受信手段と、を備え、
前記検索処理装置は、
通信ネットワーク経由で前記携帯端末から位置情報を受信する位置情報受信手段と、
前記受信された位置情報をメンバごとに記憶するメンバ位置記憶手段と、
通信ネットワーク経由で前記携帯端末からメンバ検索条件を受信するメンバ検索条件受信手段と、
前記受信されたメンバ検索条件をメンバごとに記憶するメンバ検索条件記憶手段と、
前記メンバ検索条件記憶手段に記憶されているメンバ検索条件および前記メンバ位置記憶手段に記憶されている位置情報に基づいて、メンバ検索を行うメンバ検索手段と、
前記メンバ検索の結果を前記携帯端末に通信ネットワーク経由で送信するメンバ検索結果送信手段と、を備えた、
ことを特徴とするメンバ検索システム。
【請求項２】
前記位置情報取得手段又は前記位置情報送信手段は、定期的、或いは、一定の範囲を超えた位置移動を検出した時に、それぞれ位置情報の取得、位置情報の送信を行うことを特徴とする請求項１に記載のメンバ検索システム。
【請求項３】
前記メンバ位置記憶手段は、メンバごとの所在地域を記憶することを特徴とする請求項１に記載のメンバ検索システム。
【発明の詳細な説明】
【技術分野】
【０００１】
本発明は、メンバ検索システムに関する。
【背景技術】
【０００２】
近年、インターネット上の電子掲示板などを活用したコミュニティ作りが盛んに行われている。また、地域ごとのコミュニティ作りに対応するために、コミュニティへの参加希望者の希望地域を登録し、同じ地域の参加希望者を検索するメンバ検索システムも知られている。また、端末に情報を提供するシステムとして、情報グループに対応する基準位置と情報提供相手の端末との位置関係に基づいて、情報グループのなかから提供する情報を選択するものが知られている（例えば、特許文献１参照）。
【特許文献１】特開２００２−２３８０７０号公報
【発明の開示】
【発明が解決しようとする課題】
【０００３】
しかし、上述した従来のメンバ検索システムでは、参加希望者が登録地域から移動する場合には、十分に対応することができない。例えば、既に登録済みの参加希望者Ａが登録地域Ｐａとは異なる地域Ｐｂに移動している場合を想定する。この場合、ある検索者が地域Ｐａでの参加希望者を検索した結果には参加希望者Ａが含まれるが、その検索結果の参加希望者Ａは実際には地域Ｐａに居ないので、その検索結果は役に立たないことになる。この問題を解消するためには、各参加希望者は地域を移動する度に希望地域を登録しなおす必要があるが、それは非常に煩わしく現実的でない。
【０００４】
本発明は、このような事情を考慮してなされたもので、その目的は、参加希望者（メンバ）の登録地域を自動的に更新することのできるメンバ検索システムを提供することにある。
【課題を解決するための手段】
【０００５】
上記の課題を解決するために、本発明に係るメンバ検索システムは、メンバが使用する携帯端末と、検索処理装置とを備えたメンバ検索システムであって、前記携帯端末は、現在位置を表す位置情報を取得する位置情報取得手段と、前記取得された位置情報を前記検索処理装置に通信ネットワーク経由で送信する位置情報送信手段と、メンバ検索条件を入力する入力手段と、前記入力されたメンバ検索条件を前記検索処理装置に通信ネットワーク経由で送信するメンバ検索条件送信手段と、通信ネットワーク経由で前記検索処理装置からメンバ検索結果を受信するメンバ検索結果受信手段と、を備え、前記検索処理装置は、通信ネットワーク経由で前記携帯端末から位置情報を受信する位置情報受信手段と、前記受信された位置情報をメンバごとに記憶するメンバ位置記憶手段と、通信ネットワーク経由で前記携帯端末からメンバ検索条件を受信するメンバ検索条件受信手段と、前記受信されたメンバ検索条件をメンバごとに記憶するメンバ検索条件記憶手段と、前記メンバ検索条件記憶手段に記憶されているメンバ検索条件および前記メンバ位置記憶手段に記憶されている位置情報に基づいて、メンバ検索を行うメンバ検索手段と、前記メンバ検索の結果を前記携帯端末に通信ネットワーク経由で送信するメンバ検索結果送信手段と、を備えた、ことを特徴とする。
【０００６】
本発明に係るメンバ検索システムにおいては、前記位置情報取得手段又は前記位置情報送信手段は、定期的、或いは、一定の範囲を超えた位置移動を検出した時に、それぞれ位置情報の取得、位置情報の送信を行うことを特徴とする。
【０００７】
本発明に係るメンバ検索システムにおいては、前記メンバ位置記憶手段は、メンバごとの所在地域を記憶することを特徴とする。
【発明の効果】
【０００８】
本発明によれば、メンバの所在する地域を自動的に更新することができるので、メンバ検索結果は実際のメンバの所在地域に合致したものとなる。これにより、メンバによる所在地域の再登録が不要となるとともに、現在位置および所望の条件でのメンバ検索が容易にできるので、使い勝手のよいメンバ検索システムを提供することが可能となる。
【発明を実施するための最良の形態】
【０００９】
以下、図面を参照し、本発明の一実施形態について説明する。
図１は、本発明の一実施形態に係るメンバ検索システムの全体構成を示すブロック図である。
図１に示される携帯端末１０は、コミュニティに参加を希望するメンバが使用する端末である。メンバは、プライベートで参加する個人であってもよく、或いはビジネスで参加する個人であってもよい。例えば、ラーメン屋台等の移動店舗の販売員が移動店舗の営業場所の宣伝用に参加してもよい。
【００１０】
携帯端末１０は、通信ネットワークに接続可能な端末である。例えば、携帯電話機や、通信カードを接続したＰＤＡ（Personal Digital Assistants：個人用情報機器）やノート型パーソナルコンピュータなど利用することができる。
【００１１】
携帯端末１０において、メンバ検索条件入力部１１は、コミュニティを構成するメンバを検索するときの条件（メンバ検索条件）を、入力するための手段である。例えば、キー操作による文字入力によってメンバ検索条件を入力する。或いは、予めメンバ検索条件のメニューを用意しておき、そのメニューの中からキー操作によって所望のメンバ検索条件を選択する。
メンバ検索条件は、メンバの属性（性別や年齢等）やコミュニティの目的（例えば、特定球団のファン、映画好きなど）などである。
【００１２】
メンバ検索条件送信部１２は、メンバ検索条件入力部１１で入力されたメンバ検索条件を通信ネットワークを介して検索サーバ２０に送信する。
【００１３】
位置情報取得部１３は、現在位置を示す位置情報を取得する。例えば、位置情報取得部１３としては、ＧＰＳ（Global Positioning System）が利用可能である。或いは、携帯端末１０が移動通信システムの端末であるならば、基地局との位置認証時の位置情報を取得するものであってもよい。或いは、無線ＬＡＮ（無線ローカルエリアネットワーク）等のＬＡＮに接続した場合に、中継ルータとの間の位置認証時の位置情報を取得するものであってもよい。
【００１４】
位置情報送信部１４は、位置情報取得部１３で取得された位置情報を通信ネットワークを介して検索サーバ２０に送信する。
なお、上記した位置情報の取得又は送信は、定期的に行ってもよく、或いは、一定の範囲を超えた位置移動を検出した時に行ってもよい。
【００１５】
メンバ検索結果受信部１５は、通信ネットワークを介して検索サーバ２０からメンバの検索結果を受信する。メンバ検索結果表示部１６は、メンバ検索結果受信部１５で受信されたメンバ検索結果を自携帯端末１０の表示装置で画面表示する。
【００１６】
次に、図１に示される検索サーバ２０は、通信ネットワークに接続可能なコンピュータおよび外部記憶装置などから構成されている。
検索サーバ２０において、メンバ検索条件受信部２１は、通信ネットワークを介して携帯端末１０からメンバ検索条件を受信する。メンバ検索条件保存部２２は、メンバ検索条件受信部２１で受信されたメンバ検索条件をコンピュータ内部又は外部の記憶装置に記憶する。メンバ検索条件は、メンバごとに管理し、メンバとそのメンバ検索条件とを対応付けする。例えば、メンバ又は携帯端末の識別情報とメンバ検索条件とを対応付けて記憶する。
【００１７】
位置情報受信部２３は、通信ネットワークを介して携帯端末１０から位置情報を受信する。メンバ位置データベース部２４は、位置情報受信部２３で受信された位置情報を基にしてメンバの所在地域をデータベース化してコンピュータ内部又は外部の記憶装置に記憶する。その結果として作成されるメンバ位置データベースは、メンバごとにその所在地域を記憶管理し、メンバとその所在地域とを対応付ける。そのデータベース化においては、各メンバの位置情報を所定の地域に分類し、その分類結果の地域をメンバごとに記憶する。例えば、市町村単位で分類して、メンバの所在を市町村単位で記憶する。さらに詳細にメンバの所在を管理する場合には、移動通信システムの基地局のサービスエリア単位で分類してもよい。
【００１８】
メンバ検索部２５は、メンバ検索条件保存部２２により保存されたメンバ検索条件とデータベース化されたメンバの所在地域とに基づいて、同じコミュニティを構成するメンバを検索する。具体的な検索手順の一例としては、まず、メンバ位置データベースを検索し、同じ地域に所在するメンバをグループ化する。次いで、そのグループ内で同じメンバ検索条件のメンバを抽出する。これにより、同一地域に所在しており、且つ、メンバ検索条件が同一であるメンバが検索結果として得られる。
【００１９】
上記したメンバ検索の実行タイミングとしては、各種タイミングを適用することができる。例えば、携帯端末１０からのメンバ検索条件を受信した時に、当該メンバ検索条件および当該メンバの所在地域に合致するメンバの検索を行う。或いは、別途、携帯端末１０からのメンバ検索要求を受信した時に、当該メンバのメンバ検索条件および所在地域に合致するメンバの検索を行うようにしてもよい。或いは、時間的な条件（例えば、所定の日時、一定の周期など）で自律的にメンバ検索を実行するようにしてもよい。時間的な条件でメンバ検索を実行する場合には、検索対象とするメンバ検索条件および所在地域は予め設定しておくようにする。
【００２０】
メンバ検索結果作成部２６は、メンバ検索部２５で得られた検索結果のメンバの一覧を作成する。メンバ検索結果送信部２７は、メンバ検索結果作成部２６で作成されたメンバ一覧を通信ネットワークを介して携帯端末１０に送信する。
【００２１】
次に、図２、図３を参照して、上記図１のメンバ検索システムの動作を説明する。図２は、位置情報登録時のシーケンスチャートである。図３は、メンバ検索時のシーケンスチャートである。
【００２２】
初めに、図２を参照して、位置情報登録時の動作を説明する。
図２において、メンバに有される携帯端末１０の位置情報取得部１３は、現在位置を示す位置情報を取得する（ステップＳ１）。位置情報送信部１４は、その取得された位置情報を検索サーバ２０に送信する（ステップＳ２）。
【００２３】
次いで、検索サーバ２０において、位置情報受信部２３は、携帯端末１０から位置情報を受信し、メンバ位置データベース部２４は、その受信した位置情報に対応する所在地域を当該メンバの新たな所在地域としてメンバ位置データベースの更新を行う（ステップＳ３）。これにより、メンバの所在地域が随時、最新化されて管理される。
【００２４】
次に、図３を参照して、メンバ検索時の動作を説明する。ここでは、携帯端末１０からのメンバ検索条件の送信が、メンバ検索要求としても機能する場合を例に挙げて説明する。
図３において、メンバ検索要求者としての携帯端末１０の使用者は、メンバ検索条件を例えばキー入力する。メンバ検索条件入力部１１は、その入力されたメンバ検索条件をメンバ検索条件送信部１２に出力する（ステップＳ１１）。メンバ検索条件送信部１２は、その入力されたメンバ検索条件を検索サーバ２０に送信する（ステップＳ１２）。
【００２５】
次いで、検索サーバ２０において、メンバ検索条件受信部２１は、携帯端末１０からメンバ検索条件を受信し、メンバ検索条件保存部２２は、その受信したメンバ検索条件をその送信者であるメンバに対応付けて保存する（ステップＳ１３）。次いで、メンバ検索部２５は、その受信したメンバ検索条件およびその送信者であるメンバの所在位置を検索対象として、メンバ検索を行う（ステップＳ１４）。メンバ検索結果作成部２６は、そのメンバ検索の結果のメンバの一覧を作成する（ステップＳ１５）。メンバ検索結果送信部２７は、その作成されたメンバ一覧を携帯端末１０に返信する（ステップＳ１６）。
【００２６】
次いで、携帯端末１０において、メンバ検索結果受信部１５は、検索サーバ２０からメンバ検索結果の一覧を受信し、メンバ検索結果表示部１６は、その受信した一覧を画面表示する（ステップＳ１７）。これにより、メンバ検索要求者は、希望するメンバ検索条件および現在位置に合致するメンバを把握することができる。
【００２７】
上述した実施形態によれば、メンバの所在する地域を自動的に更新することができるので、メンバ検索結果は実際のメンバの所在地域に合致したものとなる。これにより、メンバによる所在地域の再登録が不要となるとともに、現在位置および所望の条件でのメンバ検索が容易にできるので、使い勝手のよいメンバ検索システムを提供することが可能となる。
【００２８】
以上、本発明の実施形態を図面を参照して詳述してきたが、具体的な構成はこの実施形態に限られるものではなく、本発明の要旨を逸脱しない範囲の設計変更等も含まれる。
例えば、上述した実施形態では、メンバ検索結果を表示装置により画面表示して出力するが、印刷装置による印刷出力や、スピーカからの音声出力など各種の出力形態が適用可能である。
【００２９】
また、メンバ検索結果をデータとして利用するようにしてもよい。例えば、メンバ登録時に電子メールアドレスを登録しておき、メンバ検索結果にその電子メールアドレスを含めるようにする。これにより、メンバ検索結果の電子メールアドレスを宛先アドレスに用いて電子メールを送信することができ、電子メールを用いたメンバ間のコミュニケーションを図ることが可能となる。
【図面の簡単な説明】
【００３０】
【図１】本発明の一実施形態に係るメンバ検索システムの全体構成を示すブロック図である。
【図２】図１に示すメンバ検索システムの動作を説明するためのシーケンスチャートである。
【図３】図１に示すメンバ検索システムの動作を説明するためのシーケンスチャートである。
【符号の説明】
【００３１】
１０…携帯端末、１１…メンバ検索条件入力部、１２…メンバ検索条件受信部、１３…位置情報取得部、１４…位置情報送信部、１５…メンバ検索結果受信部、１６…メンバ検索結果表示部、２０…検索サーバ、２１…メンバ検索条件受信部、２２…メンバ検索条件保存部、２３…位置情報受信部、２４…メンバ位置データベース部、２５…メンバ検索部、２６…メンバ検索結果作成部、２７…メンバ検索結果送信部
【図１】
2007028404.tif 000003
【図２】
2007028404.tif 000004
【図３】
2007028404.tif 000005